(57)【要約】【課題】構内に設置された複数の監視対象装置からの障害等の情報を監視者に迅速かつ確実に通知する監視システムを提供する【解決手段】構内に設置された複数の監視対象装置６０が障害等の緊急性を有する情報をデータ通信端末装置５０から無線中継装置４０及び構内交換機３０を介して、障害監視ホストコンピュータ１０へ通知する。障害監視ホストコンピュータ１０は、障害等の緊急性を有する情報を受信すると、音声メッセージサーバ２０に音声メッセージを出力するように指示し、音声メッセージサーバ２０が監視者者が携帯する携帯端末７０に対して、監視対象装置６０の障害等の緊急性を有する情報を音声により通知する。【選択図】  図１
2004289392.tif 000002
【特許請求の範囲】
【請求項１】
構内に設置された複数の監視対象装置と、前記複数の監視対象装置にそれぞれに接続され、前記監視対象装置の状態情報を無線で通知する複数のデータ通信端末装置と、前記データ通信端末装置が通知する前記監視対象装置の状態情報を受信する複数の無線中継装置と、前記複数の無線中継装置に接続され、無線通信装置が受信した監視対象装置の状態情報を上位の装置へ通知する構内交換機と、前記構内交換機から通知された監視対象装置の状態情報を受信して管理する監視装置とを有する通信システムであって、
前記監視装置が、前記受信した監視対象装置の状態情報が緊急性の高い情報の場合には、特定の携帯端末に対して通知することを特徴とする監視システム。
【請求項２】
請求項１記載の監視システムにおいて、前記監視装置が、特定の携帯端末に対して、監視対象装置の状態を音声により通知することを特徴とする監視システム。
【請求項３】
請求項１記載の監視システムにおいて、前記監視装置が、複数の監視対象装置から通知される状態情報を管理しておき、前記携帯端末からの問い合わせに対して、監視対象装置の状態を表示形式に変換して通知することを特徴とする監視システム。
【発明の詳細な説明】
【０００１】
【発明の属する技術分野】
本発明は、構内に設置された複数の監視対象装置の状態を遠隔監視する監視システムに係り、特に監視対象装置が障害発生などの緊急性を要する状態となった時に、特定の携帯端末に対して通知する監視システムに関する。
【０００２】
【従来の技術】
従来においては、１つの携帯無線機により、遠隔制御される制御装置との間の伝送路に、携帯無線機からの制御信号を解析して制御対象装置に所要のテレメータ動作をさせよう制御するコントローラを設け、携帯無線機が伝送路の交換接続制御を行う無線接続装置を介してコントローラを選択接続する双方向通信の伝送路構成を備えるとともに、選択接続されたコントローラに対して携帯無線機から、デュアルトーン多周波信号を、制御に際しては連続に発振して制御信号として送信し、また、制御対象装置をフェール対象装置をフェールセーフ側に自動的に制御する手段を備えた遠隔制御装置がある。
（例えば、特許文献１参照。）。
【０００３】
【特許文献１】
特開平９−９３６３号公報（第３〜４頁、図１〜図８）
【０００４】
無線基地局を電柱に設置した場合に保守作業を容易にするために、無線基地局に保守部を設け、この無線基地局の保守部と保守端末との間で、無線回線経由の通信を行えるようにし、上記保守部では保守データを収集してこれを保守端末へ送信し、保守端末では受信した保守データにより警報表示又は鳴音を発生させてオペレータに知らせ、オペレータの監視により、保守端末から制御データを送信して、無線基地局の回路動作を制御する無線基地局がある。
（例えば、特許文献２参照）
【０００５】
【特許文献２】
特開２００２−２４６９９０号公報（第３〜５頁、図１）
【０００６】
【発明が解決しようとする課題】
しかしながら、上記従来技術では、保守端末により監視対象装置の監視を行い、監視対象装置からの情報により、警報表示又は鳴音により装置の障害等の情報を通知することは可能のであるが、監視者が保守端末から離れた場所にいた場合等にあっては、上記警報表示又は鳴音による装置の障害等の情報を監視者に通知することができないという問題点があった。
【０００７】
本発明は、上記問題点を解決するために鑑み為されたものであり、構内に設置された複数の監視対象装置からの障害等の情報を監視者に迅速かつ確実に通知することができる監視システムを提供することを目的とする。
【０００８】
【課題を解決するための手段】
上記目的を達成するために、本発明に係る監視システムは、構内に設置された複数の監視対象装置と、前記複数の監視対象装置にそれぞれに接続され、監視対象装置の状態情報を無線で通知する複数のデータ通信端末装置と、前記データ通信端末装置が通知する前記装置の状態情報を受信する複数の無線中継装置と、前記複数の無線中継装置に接続され、無線通信装置が受信した装置の状態情報を上位の装置へ通知する構内交換機と、前記構内交換機から通知された装置の状態情報を受信して管理する監視装置とを有する通信システムであって、前記監視装置が、前記受信した装置の状態情報が緊急性の高い情報の場合には、特定の携帯端末に対して通知することを特徴としている。
【０００９】
すなわち、本発明によれば、監視対象装置からの状態情報が障害等の緊急性を有する情報である場合には、監視装置から携帯端末に対して、通知を行うようにしているため、監視者が監視装置から離れている場合であっても、監視者が所有する携帯端末により、監視対象装置の障害等の緊急性を有することを確認することができる。
【００１０】
また、上記目的を達成するために、本発明に係る監視システムは、監視装置が、特定の携帯端末に対して、監視対象装置の状態を音声により通知することを特徴としている。
【００１１】
すなわち、本発明によれば、監視装置から監視対象装置の状態を音声により携帯端末に通知するようにしているため、監視者が監視装置から離れている場合であっても、監視者が所有する携帯端末により、監視対象装置の障害等の状態の詳細情報を聴覚により確認することができる。
【００１２】
また、上記目的を達成するために、本発明に係る監視システムは、監視装置が、複数の監視対象装置から通知される状態情報を管理しておき、携帯端末からの問い合わせに対して、監視対象装置の状態を表示形式に変換して通知することを特徴としている。
【００１３】
すなわち、本発明によれば、携帯端末を所有する管理者が、監視装置から離れた場所から、監視対象装置の状態情報を携帯端末の表示機能を利用して、視覚により確認することができる。
【００１４】
【発明の実施の形態】
本発明の実施の一形態を図面をして説明する。図１に示すように本発明の監視システムは、監視対象装置からの障害情報を管理して監視する障害監視ホストコンピュータ１０と、監視対象装置の状態を音声により通知する音声メッセージサーバ２０と、無線中継機や携帯端末の制御を行う構内交換機３０と、構内交換機からの信号を携帯端末やデータ通信端末へ出力し、携帯端末やデータ通信端末装置からの信号を交換機へ出力する複数の無線中継装置４０と、監視対象装置の状態を無線により通知するデータ通信端末装置５０と、構内に設置され、生産設備や測定装置や検出装置等からなる管理の対象となる少なくとも１台の監視対象装置６０と、構内に設置される監視対象装置の監視者が所有する携帯端末７０とから構成されている。
【００１５】
また、上記構内交換機３０は、上記障害監視コンピュータと接続するためのデータ通信インターフェース３１と、音声メッセージサーバ２０と接続するための内線電話インターフェース３２とで構成され、上記構内交換機３０の通信インターフェース３１と障害監視ホストコンピュータとは通信回線８０で接続されており、上記構内交換機３０の内線電話インターフェース３２と上記音声メッセージサーバ２０とは内線電話回線８２で接続されており、上記障害監視ホストコンピュータ１０と音声メッセージサーバ２０とは、通信回線８３で接続されている。
【００１６】
また、データ通信インターフェース３１と障害監視コンピュータとを接続する通信回線８０は、一般的なＬＡＮ（ローカル・エリア・ネットワーク）やシリアル通信を使用する。
尚、通信回線８０がＬＡＮ回線の場合には、データ通信インターフェース３１で予め設定してある電話番号情報とＬＡＮ接続用のＩＰアドレス変換テーブルを用いて、障害監視ホストコンピュータにＬＡＮ接続される。
【００１７】
次に、本発明の監視システムの動作について図１および図２を用いて説明する。
図２は、本発明の監視システムにおける監視対象装置の障害等が発生したときの動作を示すシーケンス図である。
まず、構内に設置された生産設備や測定装置や検出装置等からなる管理の対象となる監視対象装置６０は、障害等の発生や定期的に状態等の情報を障害監視ホストコンピュータに送信するためのプログラムが予め記憶されており、情報を送信する必要がある場合には、データ通信端末５０に対して障害監視ホストコンピュータに接続するように指示を行う。この時の接続指示等は、一般的なモデム制御で用いられるＡＴコマンドを使用する。
【００１８】
そして、監視対象装置６０から接続指示を受信したデータ通信端末５０は、障害監視コンピュータ１０とのデータ通信を行うために、自動的に無線中継装置４０との無線回線の接続を行い、構内交換機３０のデータ通信インタフェース３１を介して、障害監視ホストコンピュータとのデータ通信が可能となるように接続される。
【００１９】
この時、データ通信インタフェース３１と障害監視ホストコンピュータ１０とは、一般的なＬＡＮ回線やシリアル通信回線で構成された通信回線８０で接続され、通信回線８０がＬＡＮ回線の場合には、構内交換機３０のデータ通信インタフェース３１は、予め設定されている電話番号情報とＬＡＮ接続用のＩＰアドレス変換テーブルを用いて、データ通信端末が送信した電話番号情報を障害監視ホストコンピュータのＩＰアドレスに変換してＬＡＮ接続される。
【００２０】
次に、監視対象装置６０と障害監視ホストコンピュータ１０との間で、データ通信が可能となると、監視対象装置６０から障害の発生や定期的な状態等の情報が障害監視ホストコンピュータ１０に送信される。そして、監視対象装置６０と障害監視ホストコンピュータ１０との間でのデータ通信が完了すると、監視対象装置６０から切断指示がなされ、データ通信端末５０は、無線中継装置４０を介して、構内交換機３０のデータ通信インタフェース３１及び障害監視ホストコンピュータ１０に接続要求を行い、データ通信端末５０と無線中継装置４０との無線回線の切断及びデータ通信インターフェースと障害監視ホストコンピュータとの通信回線８０の切断が行われてデータ通信処理が終了する。
【００２１】
上記監視対象装置６０から障害の発生や定期的な状態等の情報を受信した障害監視ホストコンピュータ１０は、受信した情報を解析し、監視者に対して通知が必要な障害等の緊急性の高い情報の場合には、音声メッセージサーバ２０に対して、監視者が携帯する携帯端末７０宛に通知するように指示を通信回線８２を介して行う。
【００２２】
上記音声メッセージサーバ２０には、予め監視者が携帯する携帯端末７０の電話番号と音声メッセージが記憶されており、上記障害監視ホストコンピュータ１０から監視者への通知指示を受信すると、上記予め記憶されている電話番号を用いて、構内交換機３０の内線電話インターフェース３２に対して携帯端末７０との接続要求を行う。そして、内線電話インターフェース３２から無線中継装置４０を介して、監視者が携帯する携帯端末７０へ接続要求がなされ、携帯端末７０が接続要求に応答すると、音声メッセージサーバ２０から予め記憶されている障害等の緊急性が高い情報を示す音声メッセージが携帯端末７０へ送信され、この音声メッセージにより携帯端末７０を携帯する監視者は監視対象装置６０の障害等の異常を確認することことができる。
【００２３】
以上説明したように、携帯端末７０を携帯する監視者は、音声メッセージサーバ２０からの監視対象装置６０の状態を音声メッセージで確認することが可能となり、迅速かつ確実に障害等の発生を確認することができる。また、この時、監視者は構内通信システムの通信範囲内にいれば良く、常時障害監視ホストコンピュータの周辺で待機する必要性がなくなる。
【００２４】
上記実施の形態では、障害監視ホストコンピュータ１０と音声メッセージサーバ２０とを別々の装置構成としたが、物理的に同一の装置であっても構わない。
また、音声メッセージサーバ２０に監視者が携帯する携帯端末７０の電話番号を、構内交換機３０に設定しておき、音声メッセージサーバ２０からの指示により、構内交換機が携帯端末７０への接続要求を行うようにしても構わない。
【００２５】
次に、本発明の監視システムにおける障害等の情報の取得について図１及び図３を用いて説明する。図３は、本発明の監視システムにおける監視対象装置の障害等の情報を取得するための動作を示すシーケンス図である。
【００２６】
ます、障害監視ホストコンピュータ１０は、複数の監視対象装置６０から通知される障害等の緊急性の高い情報や定期的な情報の監視対象装置の状態を監視対象装置毎にメモリ等の記憶手段（図示せず）に、時系列で管理を行っている。
そして、監視者が携帯する携帯端末７０から監視対象装置６０の障害情報の取得や監視対象装置６０の状態確認のため、障害監視ホストコンピュータ１０に対して、電話番号を用いて、無線中継装置４０及び構内交換機３０のデータ通信インターフェース３１を介して接続要求を行う。
【００２７】
上記接続要求を障害監視ホストコンピュータ１０が受信すると、通信回線８０及び無線中継装置４０と携帯端末７０との無線回線が接続されることによりデータ通信が可能となる。この状態で、携帯端末７０からの指示（例えば、監視対象装置６０の管理番号等の入力）により、障害監視ホストコンピュータ１０は、管理している監視対象装置６０の障害情報の詳細や状態を、例えばＨＴＭＬ（Ｈｙｐｅｒｔｅｘｔ  Ｍａｒｋｕｐ  Ｌａｎｇｕａｇｅ）形式のデータに変換して、携帯端末７０へデータを送信する。
【００２８】
上記監視対象装置６０の状態データを受信した携帯端末７０は、受信データを表示部に表示する。
このように、携帯端末７０を携帯する監視者は、監視対象装置６０の障害情報や状態を構内通信システムの通信範囲内の任意の場所から容易に取得が可能となる。
【００２９】
【発明の効果】
以上説明したように、本発明によれば、携帯端末を携帯する監視者は、音声メッセージサーバから、監視対象装置の状態を音声メッセージで確認することが可能となり、迅速かつ確実に障害発生等を通知することができる。また、本発明によれば、監視者は構内通信システムの通信範囲内に居れば良く、常時障害監視ホストコンピュータの周辺で待機する必要性がなくなる。また、本発明によれば、監視対象装置の障害情報や状態を表示部により確認することができる。
【図面の簡単な説明】
【図１】本発明の一実施例に係る監視システムの構成図である。
【図２】本発明の監視システムの監視対象装置の障害等が発生したときの動作を示すシーケンス図である。
【図３】本発明の監視システムの監視対象装置の障害等の情報を取得するための動作を示すシーケンス図である。
【符号の説明】
１０・・・障害監視ホストコンピュータ、２０・・・音声メッセージサーバ、
３０・・・構内交換機、３１・・・データ通信インターフェース、
３２・・・内線電話インターフェース、４０・・・無線中継装置、
５０・・・データ通信端末、６０・・・監視対象装置、７０・・・携帯端末、
８０・・・通信回線、８１・・・内線電話回線、８２・・・通信回線
【図１】
2004289392.tif 000003
【図２】
2004289392.tif 000004
【図３】
2004289392.tif 000005